(57)【要約】【課題】ディスクのレーベル面などへ影響を与えることなくディスクを送り込んで積層させて収納することが可能なディスク収納機構及びそれを備えた情報処理装置を提供する。【解決手段】メディアＭを積層させて収納する排出用メディアスタッカ部１０３と、この排出用メディアスタッカ部１０３へ向かって送り込まれるメディアＭを排出用メディアスタッカ部１０３の上方にて受け止めるメディア受け渡し機構１４０とをスタッカトレイ１０１に設ける。メディア受け渡し機構１４０は、排出用メディアスタッカ部１０３内のメディアＭに対して略平行にメディアＭを保持するメディア受け部１４２と、メディア受け部１４２によるメディアＭの保持を解除させる機構とを備える。【選択図】図１１
2010055724.tif 000002
【特許請求の範囲】
【請求項１】
ディスクを積層させて収納するスタッカ部と、このスタッカ部へ向かって送り込まれる前記ディスクを前記スタッカ部の上方にて受け止めて前記スタッカ部へ送るディスク受け渡し機構とを備えたディスク収納機構であって、
前記ディスク受け渡し機構は、前記スタッカ部内のディスクに対して略平行に前記ディスクを保持するディスク受け部と、前記ディスク受け部による前記ディスクの保持を解除させる保持解除機構とを備えることを特徴とするディスク収納機構。
【請求項２】
請求項１に記載のディスク収納機構であって、
前記ディスク受け部は、前記スタッカ部の上方にて周方向へ間隔をあけて配置されかつ前記スタッカ部の径方向へ移動可能な複数のストッパからなり、
前記ストッパは、前記ディスクの外周部分が載置される保持面を有し、前記保持解除機構により前記スタッカ部に対して径方向外方へ移動されることにより、前記保持面が前記スタッカ部の外側に移動されることを特徴とするディスク収納機構。
【請求項３】
請求項１または請求項２に記載のディスク収納機構であって、
前記保持解除機構は、送り込まれる前記ディスクの荷重により前記ディスク受け部を移動させて前記ディスクの保持を解除させることを特徴とするディスク収納機構。
【請求項４】
請求項３に記載のディスク収納機構であって、
前記保持解除機構は、送り込まれる前記ディスクの荷重を前記ディスク受け部へ伝達するリンク機構を備えることを特徴とするディスク収納機構。
【請求項５】
請求項１または請求項２に記載のディスク収納機構であって、
前記保持解除機構は、前記ディスク受け部を移動させて前記ディスクの保持を解除させる駆動源を備えることを特徴とするディスク収納機構。
【請求項６】
請求項５に記載のディスク収納機構であって、
前記保持解除機構は、前記ディスク受け部に保持された前記ディスクを検知するセンサを備え、前記センサが前記ディスクを検知した際に前記駆動源によって前記ディスク受け部が移動されることを特徴とするディスク収納機構。
【請求項７】
請求項５に記載のディスク収納機構であって、
前記駆動源は、前記スタッカ部への前記ディスクの送り込み後における所定時間経過後に駆動することを特徴とするディスク収納機構。
【請求項８】
請求項１から７の何れか一項に記載のディスク収納機構を備え、前記ディスクの処理領域に対して処理を行う処理部を有することを特徴とする情報処理装置。
【発明の詳細な説明】
【技術分野】
【０００１】
本発明は、ＣＤあるいはＤＶＤ等のメディアであるディスクを収納させるディスク収納機構及びそれを備えた情報処理装置に関する。
【背景技術】
【０００２】
近年、ブランクＣＤ（Compact Disc）やＤＶＤ（Digital Versatile Disc）等のメディア（情報記録媒体）にデータの書き込みを行うディスクダビング装置、データの書き込みとレーベル印刷を行ってメディアを制作して発行可能なＣＤ／ＤＶＤパブリッシャ等のメディア処理装置が用いられつつある。この種のメディア処理装置としては、メディアへデータを書き込むドライブ、メディアのレーベル面に印刷を施すプリンタおよびこれらドライブやプリンタに対してメディアを把持して搬送するメディア搬送機構を備えたものが知られている（例えば、特許文献１参照）。
【０００３】
【特許文献１】特開２００６−２０２３７９号公報
【発明の開示】
【発明が解決しようとする課題】
【０００４】
ところで、上記のようなメディアを処理する情報処理装置には、処理したメディアをガイド通路の傾斜面に沿って滑らせてスタッカ内に送り込み、積層状態に収納させる構造を有するものがある。しかし、このような構造であると、スタッカ内へ斜めに送り込まれるメディアの移動方向前方側の周縁がスタッカ内に収納されている印刷済みのメディアのレーベル面に接触し、印刷箇所に傷がつき、品質に影響を与えるおそれがある。
【０００５】
そこで本発明の目的は、ディスクのレーベル面などへ影響を与えることなくディスクを送り込んで積層させて収納することが可能なディスク収納機構及びそれを備えた情報処理装置を提供することにある。
【課題を解決するための手段】
【０００６】
上記目的を達成するために、本発明のディスク収納機構は、ディスクを積層させて収納するスタッカ部と、このスタッカ部へ向かって送り込まれる前記ディスクを前記スタッカ部の上方にて受け止めて前記スタッカ部へ送るディスク受け渡し機構とを備えたディスク収納機構であって、
前記ディスク受け渡し機構は、前記スタッカ部内のディスクに対して略平行に前記ディスクを保持するディスク受け部と、前記ディスク受け部による前記ディスクの保持を解除させる保持解除機構とを備えることを特徴とする。
【０００７】
本発明のディスク収納機構によれば、スタッカ部へ送り込まれるディスクをディスク受け部でスタッカ部内のディスクと略平行に保持し、その後、ディスク受け部によるディスクの保持を解除させてスタッカ部へ落とすことにより、収納するディスクの周縁をスタッカ部内のディスクに干渉させることなく積層させて収納することができる。つまり、ディスクの処理領域へ影響を与えることなくディスクをスタッカ部内へ積層させて収納することができる。
【０００８】
また、前記ディスク受け部は、前記スタッカ部の上方にて周方向へ間隔をあけて配置されかつ前記スタッカ部の径方向へ移動可能な複数のストッパからなり、前記ストッパは、前記ディスクの外周部分が載置される保持面を有し、前記保持解除機構により前記スタッカ部に対して径方向外方へ移動されることにより、前記保持面が前記スタッカ部の外側に移動されることが好ましい。
これにより、複数のストッパの保持面によってディスクを良好に保持させることができ、また、保持解除機構によってストッパがスタッカ部の径方向外方へ移動させることにより、ディスクの保持を容易に解除させることができる。
【０００９】
また、前記保持解除機構は、送り込まれる前記ディスクの荷重により前記ディスク受け部を移動させて前記ディスクの保持を解除させることが好ましい。
このように、ディスクの自重や送り込み時における移動力などのディスクの荷重によりディスク受け部を移動させる簡易な構造にてディスクをスタッカ部内へ導くことができ、設備費の削減を図りつつスタッカ部へディスクを良好に収納させることができる。
【００１０】
また、前記保持解除機構は、送り込まれる前記ディスクの荷重を前記ディスク受け部へ伝達するリンク機構を備えることが好ましい。
このように、ディスクの荷重をリンク機構によってディスク受け部に伝達させて移動させることにより、ディスク受け部に保持したディスクをスタッカ部内へ円滑に導くことができる。
【００１１】
また、前記保持解除機構は、前記ディスク受け部を移動させて前記ディスクの保持を解除させる駆動源を備えることが好ましい。
このように、駆動源によってディスク受け部を移動させることにより、ディスク受け部に保持したディスクをスタッカ部内へ円滑かつ確実に導くことができる。
【００１２】
また、前記保持解除機構は、前記ディスク受け部に保持された前記ディスクを検知するセンサを備え、前記センサが前記ディスクを検知した際に前記駆動源によって前記ディスク受け部が移動されることが好ましい。
このように、ディスク受け部に保持されたディスクを検知し、ディスク受け部を移動させることにより、ディスク受け部に保持したディスクをスタッカ部内へ確実に導くことができる。
【００１３】
また、前記駆動源は、前記スタッカ部への前記ディスクの送り込み後における所定時間経過後に駆動することが好ましい。
このように、ディスクの送り込み後の所定時間後にディスク受け部を移動させることにより、ディスク受け部に保持したディスクをスタッカ部内へ確実に導くことができる。
【００１４】
また、本発明の情報処理装置は、上記の何れかのディスク収納機構を備え、前記ディスクの処理領域に対して処理を行う処理部を有することを特徴とする。
【００１５】
この構成の情報処理装置によれば、ディスクの処理領域へ影響を与えることなくディスクをスタッカ部へ積層させて収納することができるディスク収納機構を備えているので、ディスクの記録データの読取品質や印刷品質に影響を与えることなく、ディスクを収納することができる。
【発明を実施するための最良の形態】
【００１６】
以下、本発明に係るディスク収納機構及びそれを備えた情報処理装置の実施形態について図面を参照して説明する。
なお、本実施形態では、パブリッシャからなるメディア処理装置を情報処理装置の一例として説明する。
図１はパブリッシャ（情報処理装置）の外観斜視図、図２はパブリッシャのケースを外した状態の前方側の斜視図、図３はパブリッシャのケースを外した状態の後方側の斜視図、図４はパブリッシャに設置されたレーベルプリンタ部分の斜視図である。
【００１７】
パブリッシャ１は、例えばＣＤあるいはＤＶＤ等の円板状のメディアへのデータの書き込みやメディアのレーベル面への印刷を行うメディア処理装置であり、ほぼ直方体形状のケース２を備えている。このケース２の前面には、左右に開閉可能な開閉扉３、４が取り付けられている。ケース２の上側左端部には、表示ランプ、操作ボタンなどが配列された操作面５が設けられており、また、ケース２の下端には、メディア排出口６が設けられている。
【００１８】
正面視右側の開閉扉３は、ブランクメディアをセットする時、或いは作成済みメディアを取り出す時に開閉する。
【００１９】
図２に示すように、正面視左側の開閉扉４は、レーベルプリンタ（処理部）１１のインクカートリッジ１２の交換時に開閉するためのものであり、この開閉扉４を開けると、鉛直方向に配列された複数のカートリッジホルダ１３を有するカートリッジ装着部１４が露出するようになっている。
【００２０】
図３にも示すように、パブリッシャ１のケース２の内部には、データ書き込み処理が行われていない複数枚の未使用のブランクメディアＭＡをスタック可能なブランクメディアスタッカ２１と、作成済みメディアＭＢが保管される作成済みメディアスタッカ２２が同軸状態で上下に配置されている。
【００２１】
ブランクメディアスタッカ２１は、左右一対の円弧状の枠板２４，２５を備えており、これにより、ブランクメディアＭＡを上側から受け入れ、同軸に積層した状態で収納可能なスタッカが構成されている。ブランクメディアスタッカ２１にブランクメディアＭＡを収納あるいは補充する作業は、開閉扉３を開けることにより、簡単に行うことが可能となっている。
【００２２】
下側の作成済みメディアスタッカ２２も同一構造となっており、左右一対の円弧状の枠板２７，２８を備えており、これによって、作成済みメディアＭＢを上側から受け入れ、同軸に積層した状態で収納可能なスタッカが構成されている。
【００２３】
また、開閉扉３からは、作成済みメデイアＭＢ（すなわち、データの書き込み、及びレーベル面印刷が終了したメディア）を取り出すこともできる。
【００２４】
これらのブランクメディアスタッカ２１及び作成済みメディアスタッカ２２の後側には、メディア搬送機構３１が配置されている。メディア搬送機構３１は、ベース７２に取り付けられている水平支持板部３４と図示せぬ天板を構成するシャーシの間に垂直に架け渡されている垂直ガイド軸３５と、この垂直ガイド軸３５に取り付けた搬送アーム３６とを備えている。搬送アーム３６は、駆動モータ３７によって垂直ガイド軸３５に沿って昇降可能であるとともに、垂直ガイド軸３５を中心に左右に旋回可能である。メディア搬送機構３１によってメディア排出口６に搬送されてきたメディアは、このメディア排出口６から外部に取り出すことが可能である。
【００２５】
上下のスタッカ２１，２２及びメディア搬送機構３１の側方の部位には、上下に積層された２つのメディアドライブ（処理部）４１が配置され、これらメディアドライブ４１の下側にレーベルプリンタ１１の後述するキャリッジ６２（図４参照）が移動可能に配置されている。
メディアドライブ４１は、メディアへのデータ書き込み位置とメディアの受け取り受け渡しを行うメディア受け渡し位置との間を移動可能なメディアトレイ４１ａをそれぞれ有している。
【００２６】
また、レーベルプリンタ１１は、メディアのレーベル面へのレーベル印刷可能な位置とメディアの受け取り受け渡しを行うメディア受け渡し位置との間を移動可能なメディアトレイ５１を有している。
【００２７】
図２及び図３では、上側のメディアドライブ４１のメディアトレイ４１ａが手前に引き出されてメディア受け渡し位置にある状態及び下側のレーベルプリンタ１１のメディアトレイ５１が奥側のレーベル印刷可能位置にある状態が示されている。また、レーベルプリンタ１１はインクジェットプリンタであり、インク供給機構７１として各色（本実施形態ではブラック、シアン、マゼンタ、イエロー、ライトシアン、ライトマゼンタの６色）のインクカートリッジ１２が用いられ、これらのインクカートリッジ１２がカートリッジ装着部１４の各カートリッジホルダ１３に前方から装着されている。
【００２８】
ここで、ブランクメディアスタッカ２１の左右一対の枠板２４，２５の間及び作成済みメディアスタッカ２２の左右一対の枠板２７，２８の間には、メディア搬送機構３１の搬送アーム３６が昇降可能な隙間が形成されている。また、これら上下のブランクメディアスタッカ２１と作成済みメディアスタッカ２２との間には、メディア搬送機構３１の搬送アーム３６が水平に旋回して、作成済みメディアスタッカ２２の真上に位置できるように隙間が開いている。さらに、メディアトレイ４１ａをメディアドライブ４１に押し込むと、メディア搬送機構３１の搬送アーム３６を下降させて、メディア受け渡し位置にあるメディアトレイ５１にアクセス可能となっている。したがって、搬送アーム３６の昇降及び左右への旋回の組み合わせ動作によって、メディアを各部に搬送することが可能とされている。
【００２９】
メディアトレイ５１のメディア受け渡し位置の下方には、廃棄用メディアＭＤを保管するための廃棄用スタッカ５２が配置されており、この廃棄用スタッカ５２には、例えば３０枚程度の廃棄用メディアＭＤが保管可能とされている。メディアトレイ５１が廃棄用スタッカ５２の上方のメディア受け渡し位置からデータ書き込み位置へ退避した状態にてメディア搬送機構３１の搬送アーム３６により、廃棄用メディアＭＤを廃棄用スタッカ５２に供給可能となっている。
【００３０】
まとめると、ＣＤあるいはＤＶＤからなるメディアは、ブランクメディアスタッカ２１、作成済みメディアスタッカ２２、廃棄用スタッカ５２、メディアドライブ４１のメディアトレイ４１ａ及びレーベルプリンタ１１のメディアトレイ５１間を、メディア搬送機構３１の搬送アーム３６によって搬送される。
【００３１】
次に、レーベルプリンタ１１の構成について説明する。
図２から図４にも示すように、レーベルプリンタ１１はインクジェットヘッド６１を有するキャリッジ６２を備えており、このキャリッジ６２は、キャリッジガイド軸６３に沿って、水平方向に往復移動可能に支持されている。そして、このキャリッジ６２は、キャリッジガイド軸６３に沿って水平に架け渡したタイミングベルト６４と、これを駆動するためのキャリッジモータ６５とを備えている。
【００３２】
キャリッジ６２に搭載されているインクジェットヘッド６１は、そのノズル面が下向きとされており、インクジェットヘッド６１の下側位置を、前後方向に水平にメディアトレイ５１が往復移動可能となっている。メディアトレイ５１は、その右側の端が、前後方向に水平に延びるガイド軸６６によって支持され、その左側の端が、スライド可能な状態で、前後方向に水平に延びるガイドレール６７によって支持されている。このメディアトレイ５１の駆動機構も、前後方向に水平に架け渡した図示しないタイミングベルトと、これを駆動するためのトレイモータとを備えた構成となっている。
【００３３】
レーベルプリンタ１１は、インクカートリッジ１２が装着されるカートリッジ装着部１４を有するインク供給機構７１を備えている。このインク供給機構７１は、縦型構造を有しており、パブリッシャ１のベース７２上に立設されて鉛直方向に配設されている。このインク供給機構７１には、可撓性を有するインク供給チューブ７３の一端が接続されており、このインク供給チューブ７３の他端は、キャリッジ６２に接続されている。
【００３４】
そして、インク供給機構７１のインクカートリッジ１２のインクは、インク供給チューブ７３を介してキャリッジ６２に供給され、このキャリッジ６２に設けられた図示しないダンパユニット及び背圧調整ユニットを経てインクジェットヘッド６１に供給される。
なお、インク供給機構７１には、その上部に、加圧機構７４が設けられており、この加圧機構７４は、インクカートリッジ１２内を加圧し、インクカートリッジ１２内のインクパックに貯留しているインクを送り出す。
【００３５】
また、キャリッジ６２のホームポジション（図４に示す位置）における下方側には、インク吸引機構８１が設けられている。このインク吸引機構８１は、ホームポジションに配置されたキャリッジ６２の下面に露出するインクジェットヘッド６１のノズルを覆うキャップ８２と、インクジェットヘッド６２のヘッドクリーニング動作やインク充填動作によってキャップ８２に排出された廃インクを吸引する廃インク吸引ポンプ８３とを備えている。
【００３６】
そして、このインク吸引機構８１の廃インク吸引ポンプ８３によって吸引された廃インクは、チューブ８４を介して、廃インク吸収タンク８５へ送り込まれる。
この廃インク吸収タンク８５は、ケース８６内に後述する吸収材１０４を配設したもので、その上面は、複数の通気孔８７を有するカバー８８によって覆われている。
なお、廃インク吸引機構８１の下方には、廃インク吸収タンク８５の一部である廃インク受け部８９が設けられ、廃インク吸引機構８１から滴下した廃インクを受け止め、吸収材によって吸収するようになっている。
【００３７】
メディアトレイ５１は、矩形の板の上面に、メディアを載せるための円形の低い凸部５１ａを備えている。また、この凸部５１ａの中心部には、同心円上において１２０度間隔に配置された図示せぬ３本の掛止部を備えている。３本の掛止部は半径方向に一体となって移動可能であり、メディアトレイ５１がメディア受け渡し位置に移動すると、不図示のカム機構によって３本の掛止部が移動するようになっている。
【００３８】
メディアを、そのレーベルなどが印刷されるレーベル面を上向きにして、上から凹部５１ａに落とすと、メディアのセンターホールに３本の掛止部が差し込まれた状態になる。この後に、３本の掛止部を半径方向の外方に僅かに移動すると、これら３本の掛止部がメディアのセンターホールの内周面に内側から押し付けられた状態になる。これにより、メディアがメディアトレイ５１に保持される。この状態で、図示せぬトレイモータを駆動して、メディアトレイ５１をガイド軸６６に沿って後ろ側に移動させ、インクジェットヘッド６１の印字領域内まで移動させることができる。この後は、インクジェットヘッド６１によって、メディアのレーベル面に所定の印刷を施すことができる。
【００３９】
次に、ブランクメディアスタッカ２１及び作成済みメディアスタッカ２２の側方に設けられて廃棄用メディアＭＤを収納する廃棄用スタッカ５２及び廃棄用メディアＭＤあるいは作成済みメディアＭＢが送り出されるメディア排出口６について詳述する。なお、以下、廃棄用メディアＭＤ及び作成済みメディアＭＢをメディアＭと称して説明する。
図５はパブリッシャの内部構造を示す平面図である。
図５に示すように、ブランクメディアスタッカ２１及び作成済みメディアスタッカ２２が上下に配置された個所の側方には、スタッカトレイ（ディスク収納機構）１０１が設けられており、このスタッカトレイ１０１の装置後方側に、廃棄用スタッカ５２が着脱可能とされ、スタッカトレイ１０１の装置前方側に、メディア排出口６に露出される排出用メディアスタッカ部（スタッカ部）１０３が形成されている。
【００４０】
廃棄用スタッカ５２及び排出用メディアスタッカ部１０３にも、上方側からメディアＭを厚さ方向に積み上げた状態で収納可能な構造となっており、例えば、廃棄用スタッカ５２には３O枚、排出用メディアスタッカ部１０３には２O枚のメディアＭが収納可能である。
廃棄用スタッカ５２は、ブランクメディアスタッカ２１及び作成済みメディアスタッカ２２と同様に、回動する搬送アーム３６によるメディアＭの搬送経路上に配置されており、昇降する搬送アーム３６によって廃棄用スタッカ５２へメディアＭが搬送可能とされている。
【００４１】
これに対して、排出用メディアスタッカ部１０３は、廃棄用スタッカ５２の手前側に隣接配置されており、ディスク搬送経路である搬送アーム３６の旋回軌跡から外れた位置に配置されている。
【００４２】
次に、スタッカトレイ及びメディア排出口の構造について詳述する。
図６及び図７はスタッカトレイを示す斜視図、図８はスタッカトレイを示す概略側断面図、図９はメディアを説明するメディアのデータ記録面側の平面図、図１０はメディアを説明するメディアのレーベル面側の平面図、図１１はスタッカトレイを示す概略横断面図、図１２はメディア排出口における断面図、図１３はメディア排出口におけるメディアの排出状態を示す斜視図である。
【００４３】
図６及び図７に示すように、スタッカトレイ１０１の後方側には、スタッカ装着用凹部１０２が形成されており、このスタッカ装着用凹部１０２に、廃棄用スタッカ５２が着脱可能とされており、この廃棄用スタッカ５２を着脱させることにより、メディアＭを容易に取り出すことができるようになっている。
【００４４】
スタッカトレイ１０１は、樹脂で成形されており、底板部１２１と、この底板部１２１の両側の縁から起立している側壁部１２２，１２３と、底板部１２１の後端縁が起立している端板部１２４とを備えている。左右の側壁部１２２，１２３における前後方向の中程の部位には、内方に向けて略台形状に左右の仕切り部１２５，１２６が突出している。
そして、左右の側壁部１２２，１２３の間における端板部１２４と仕切り部１２５，１２６との間に、平面視円形のスタッカ装着用凹部１０２が形成されている。
【００４５】
左右の仕切り部１２５，１２６は、その手前側の側面が、抜き勾配０．５度の垂直に近い勾配で起立している円弧ガイド面１２５ａ，１２６ａとされている。また、左側の側壁部１２２には、左側の仕切り部１２５の円弧ガイド面１２５ａと滑らかに連続する円弧ガイド面１２２ａが形成されている。円弧ガイド面１２５ａ、１２６ａは収納されるメディアＭの外周部が当接してメディアＭの移動を規制するためのもので、メディアＭの外周部より僅かな隙間をもってメディアＭを案内し、円弧ガイド面１２２ａの開口部１０３ａ側の端部が、対向位置に配置されているメディアフル検出センサ１３１にメディアＭを寄せる為に円弧ガイド面１２５ａの軌跡より狭まっている。
【００４６】
また、右側の側壁部１２３は、その手前側が、右側の仕切り部１２６の円弧ガイド面１２６ａの端部付近にて切り欠かれている。
そして、左右の仕切り部１２５，１２６の円弧ガイド面１２５ａ，１２６ａ、左側の側壁部１２２の円弧ガイド面１２２ａ及び底板部１２１の前側の平坦な底面部１２１ａによって囲まれた空間部分が、排出用メディアスタッカ部１０３となっている。
【００４７】
また、排出用メディアスタッカ部１０３は、切り欠かれた右側の側壁部１２３の手前側の端部と円弧ガイド面１２２ａが形成された左側の側壁部１２２の手前側の端部との間が開口部１０３ａとされて広く開口されており、収納されたメディアＭの一部が開口部１０３ａから突出され、メディア排出口６に露出されるようになっている。したがって、メディア排出口６にて、排出用メディアスタッカ部１０３に排出されたメディアＭが取り出し可能とされている。なお、左側の側壁部１２２の手前側の端部は、その円弧ガイド面１２２ａの高さが、排出用メディアスタッカ部１０３内に収容する最大収納枚数（２０枚）のメディアＭを積層させた際の最上部のメディアＭの上面と略同一高さに設定されている。
【００４８】
スタッカトレイ１０１の左右の仕切り部１２５，１２６の上面は、前方に傾斜した傾斜案内部１２５ｂ，１２６ｂとされ、これら傾斜案内部１２５ｂ，１２６ｂには、メディアＭのガイド通路１３０が構成されている。この傾斜案内部１２５ｂ，１２６ｂには、その縁部に、一対のガイド面１２５ｃ，１２６ｃが形成されている。また、これらガイド面１２５ｃ，１２６ｃの外側には、一対のガイド壁１２５ｄ，１２６ｄが立設されている。
【００４９】
そして、図８に示すように、搬送アーム３６から落下したメディアＭは、ガイド壁１２５ｄ，１２６ｄの間にて、そのデータ記録面側における外周部分が、ガイド通路１３０を構成する傾斜案内部１２５ｂ，１２６ｂのガイド面１２５ｃ，１２６ｃに接触しながら滑り落ちることにより、排出用メディアスタッカ部１０３へ導かれる。
【００５０】
ここで、図９に示すように、メディアＭは、円板形状に形成された透明なポリカーボネイト製の基板９０の中心に円形状のチャッキング用の中心孔Ｍａが形成されたもので、中心孔Ｍａが、搬送アーム３６及びメディアトレイ５１に設けられた保持機構（図示略）によって保持される。
【００５１】
このメディアＭは、一方の面がデータ記録面とされている。データ記録面は、環状のデータ記録領域（処理領域）Ｘを有しており、このデータ記録領域Ｘに対してドライブ４１によってデータの読み書きが可能とされている。
【００５２】
このデータ記録領域Ｘの外径Ｄｘ１は、メディアＭの外径Ｄｍ１に対して所定寸法だけ小さくされており、これにより、メディアＭは、データ記録面におけるデータ記録領域Ｘの外周に、データの読み書きが不能な、所定幅α（約１ｍｍ）の環状の非データ記録領域（非処理領域）Ｙを有している。
【００５３】
なお、データ記録領域Ｘの内径Ｄｘ２は、基板９０の中心孔Ｍａの内径Ｄｍ２に対して所定寸法だけ大きくされており、これにより、メディアＭは、データ記録面におけるデータ記録領域Ｘの内周側にも、データの読み書きが不能な環状の非データ記録領域Ｚを有している。
【００５４】
また、図１０に示すように、メディアＭは、他方の面がレーベル面とされている。レーベル面は、環状のインク受容領域（処理領域）Ａを有しており、このインク受容領域Ａに対してレーベルプリンタ１１によって印刷が可能とされている。
【００５５】
このインク受容領域Ａの外径Ｄａ１は、メディアＭの外径Ｄｍ１に対して所定寸法だけ小さくされており、これにより、メディアＭは、レーベル面におけるインク受容領域Ａの外周に、印刷が不能な、所定幅βの非インク受容領域（非処理領域）Ｂを有している。
【００５６】
なお、インク受容領域Ａの内径Ｄａ２は、基板９０の中心孔Ｍａの内径Ｄｍ２に対して所定寸法だけ大きくされており、これにより、メディアＭは、レーベル面におけるインク受容領域Ａの内周側にも、印刷が不能な環状の非インク受容領域Ｃを有している。
【００５７】
図１１に示すように、スタッカトレイ１０１の排出用メディアスタッカ部１０３には、メディア受け渡し機構１４０が設けられている。
このメディア受け渡し機構１４０は、複数のメディア受け部１４２を備えている。これらメディア受け部１４２は、排出用メディアスタッカ部１０３の上方にて周方向へ間隔をあけた位置に配置されている。具体的には、メディア受け部１４２は、ガイド通路１３０におけるメディアＭの進行方向の両側部にて互いに対向位置に配置されている。
【００５８】
メディア受け部１４２は、上端が、ガイド通路１３０におけるメディアＭの進行方向に沿う水平な支持軸１４１によって回動可能に支持された複数のストッパ１４３からなるもので、その下端には、排出用メディアスタッカ部１０３の内方へ向かって突出する保持部１４４が形成されている。この保持部１４４は、水平面からなる保持面１４５と、先端へ向かって次第に上方へ傾斜するガイド面１４６とを有している。また、それぞれのメディア受け部１４２には、それぞれ排出用メディアスタッカ部１０３の外方側に、コイルバネからなる圧縮バネ１４７が設けられている。
【００５９】
保持面１４５は、その幅寸法Ｗが、非データ記録領域Ｙの幅寸法α以下とされている。また、メディア受け部１４２同士の間隔Ｇは、メディアＭの外径Ｄｍ１よりも僅かに大きな寸法とされ、互いに寸法差（Ｇ−Ｄｍ１）は、メディアＭのデータ記録面における非データ記録領域Ｙの所定寸法α以下（Ｇ−Ｄｍ１≦１ｍｍ）の範囲とされている。
【００６０】
このように構成された一対のメディア受け部１４２を有するメディア受け渡し機構１４０では、ガイド通路１３０を滑り落ちてきたメディアＭは、中心を介した外周部分の２箇所がメディア受け部１４２の保持部１４４の保持面１４５上に載置されることにより、排出用メディアスタッカ部１０３の上方にて受け止められ、排出用メディアスタッカ部１０３内に収納されているメディアＭと略平行に保持される。
【００６１】
このとき、メディア受け部１４２の保持部１４４の保持面１４５の幅寸法Ｗが、非データ記録領域Ｙの幅寸法α以下とされているので、メディアＭは、そのデータ記録面のデータ記録領域Ｘが保持面１４５に接触することなく、メディア受け部１４２に保持される。
また、メディア受け部１４２同士の間隔ＧがメディアＭの外径Ｄｍ１よりも僅かに大きな寸法とされ、互いの寸法差（Ｇ−Ｄｍ１）が、メディアＭのデータ記録面における非データ記録領域Ｙの所定寸法α以下の範囲とされているので、メディアＭが片側に寄った状態であっても、メディア受け部１４２の保持部１４４から外れて落下するようなことはない。
【００６２】
その後、それぞれのメディア受け部１４２は、メディアＭの自重からなる荷重により、圧縮バネ１４７の付勢力に抗して支持軸１４１を中心としてストッパ１４３が排出用メディアスタッカ部１０３の外側へ向かって回動し、ストッパ１４３の保持面１４５が排出用メディアスタッカ部１０３に対して径方向外方へ移動する。
【００６３】
そして、このメディア受け部１４２の保持面１４５同士の間隔がメディアＭの直径よりも大きくなると、メディア受け部１４２の保持面１４５によってメディアＭが保持されなくなり、メディアＭが排出用メディアスタッカ部１０３に収納されているメディアＭ上に落下し、収納される。
つまり、このメディア受け部１４２では、ストッパ１４３及びストッパ１４３を支持する支持軸１４１から、メディアＭの自重からなる荷重によってメディアＭの保持を解除する保持解除機構が構成されている。
【００６４】
そして、上記のように、ガイド面１２５ｃ，１２６ｃに沿って案内されながらガイド通路１３０を滑り落ちるメディアＭは、排出用メディアスタッカ部１０３に収納されたメディアＭの上面に引っ掛かることなく、図１２に示すように、排出用メディアスタッカ部１０３に収納されたメディアＭ上に積層される。
その後、それぞれのメディア受け部１４２のストッパ１４３は、圧縮バネ１４７の付勢力により、排出用メディアスタッカ部１０３の内側へ向かって回動され、保持面１４５が排出用メディアスタッカ部１０３の内側へ突出して水平となる初期の位置に配置される。
【００６５】
ここで、図１３に示すように、パブリッシャ１の開閉扉３には、その下端に、排出用メディアスタッカ部１０３との干渉を避ける切欠部３ａが形成されており、開閉扉３を閉じた際に、この切欠部３ａがメディア排出口６とされる。
また、この切欠部３ａにおける排出用メディアスタッカ部１０３の上部には、上方から下方側へ向かって次第に装置の奥側へ傾斜する傾斜面３ｂを有する取り出し凹部３ｃが形成されている。
【００６６】
これにより、ユーザは、排出用メディアスタッカ部１０３に積層状態に収納されてメディア排出口６にて露出されたメディアＭを把持し、取り出し凹部３ｃ側へ持ち上げ、傾斜面３ｂに沿って引き上げることにより、これらメディアＭを容易に取り出すことができるようになっている。
また、排出用メディアスタッカ部１０３を形成する底板部１２１の手前側の端部には、その幅方向の中央部分に凹部１２１ｂが形成されており、排出用メディアスタッカ部１０３からメディアＭを取り出す際に、この凹部１２１ｂに指を入れることにより、メディアＭを容易に把持することができるようになっている。
【００６７】
また、メディア受け渡し機構１４０のメディア受け部１４２を構成するストッパ１４３には、その保持部１４４の下方側に、保持部１４４の先端へ向かって次第に上方へ傾斜するガイド面１４６が形成されているので、排出用メディアスタッカ部１０３からメディアＭを取り出す際に、メディアＭがガイド面１４６に接触し、ストッパ１４３が排出用メディアスタッカ部１０３の外側へ押し出される。
つまり、メディアＭを排出用メディアスタッカ部１０３から取り出す際には、ストッパ１４３が排出用メディアスタッカ部１０３の外側へ移動されることにより、メディアＭの取り出しの際に、ストッパ１４３が邪魔とならず、円滑に取り出すことができる。
【００６８】
以上、説明したように、上記実施形態によれば、ガイド通路１３０から送り込まれるメディアＭをメディア受け部１４２の保持部１４４にて保持することにより、排出用メディアスタッカ部１０３内のメディアＭと略平行にし、その後、メディア受け部１４２による保持を解除してメディアＭを排出用メディアスタッカ部１０３へ落とすことにより、収納するメディアＭの周縁を排出用メディアスタッカ部１０３内のメディアＭに干渉させることなく、積層させて収納することができる。つまり、インク受容領域Ａへ影響を与えることなくメディアＭを排出用メディアスタッカ部１０３内へ積層させて収納することができる。
【００６９】
特に、保持面１４５に載置されたメディアＭの自重からなる荷重によりメディア受け部１４２を移動させる簡易的な保持解除機構を有するので、設備費を抑えつつメディアＭを排出用メディアスタッカ部１０３へ良好に収納することができる。
【００７０】
これにより、上記パブリッシャ１からなる情報処理装置によれば、インク受容領域Ａへ影響を与えることなくメディアＭを排出用スタッカ部１０３へ積層させて収納することができるので、メディアＭのレーベル印刷の印刷品質に影響を与えることなくメディアＭを収納することができる。
【００７１】
なお、本発明は上述の実施の形態に限られることなく、種々の変更を行うことができる。以下、変形例について説明する。
図や説明については、上述の実施の形態と同じもしくは同一の機能を有する部品等には同符号を付し説明を省略する。
【００７２】
図１４に示すものは、滑り落ちるメディアＭの移動力からなる荷重によってメディア受け部１４２を回動させる構造のメディア受け渡し機構１５０である。
このメディア受け渡し機構１５０は、排出用メディアスタッカ部１０３に滑り落とされるメディアＭの移動方向前方側に配置された可動駒１５１と、この可動駒１５１とメディア受け部１４２とを連結するリンク機構（保持解除機構）１５２とを備えている。
【００７３】
リンク機構１５２は、一端の連結端１５３ａが可動駒１５１に対して回動可能に連結された第１リンク１５３と一端の連結端１５４ａがメディア受け部１４２のストッパ１４３に対して回動可能に連結された第２リンク１５４とを備えており、これら第１リンク１５３及び第２リンク１５４は、その中間部が回動軸１５３ｂ，１５４ｂを中心として回動可能に支持されている。
第２リンク１５４の他端には、長孔１５４ｃが形成されており、この長孔１５４ａには、第１リンク１５３の他端に設けられたピン１５３ｃが摺動可能に挿通されている。
【００７４】
このようなリンク機構１５２を備えたメディア受け渡し機構１５０では、ガイド通路１３０を滑り落ちてきたメディアＭは、メディア受け部１４２の保持部１４４の保持面１４５上に載置されることにより、排出用メディアスタッカ部１０３の上方にてメディア受け部１４２に受け止められ、排出用メディアスタッカ部１０３内に収納されているメディアＭと略平行に保持される。
【００７５】
このとき、可動駒１５１がメディアＭの移動力からなる荷重によって押圧されてメディアＭの移動方向前方側へ移動する。
すると、この可動駒１５１の移動により、第１リンク１５３が回動軸１５３ｂを中心として回動し、その回動力が第２リンク１５４に伝達され、第２リンク１５４が回動軸１５４ｂを中心として回動する。
【００７６】
これにより、第２リンク１５４によってメディア受け部１４２が圧縮バネ１４７の付勢力に抗して排出用メディアスタッカ部１０３の外側へ向かって移動され、ストッパ１４３の保持面１４５も排出用メディアスタッカ部１０３に対して径方向外方へ移動する。
これにより、メディア受け部１４２によるメディアＭの保持が解除され、メディアＭが排出用メディアスタッカ部１０３に収納されているメディアＭ上に落下し、排出用メディアスタッカ部１０３に収納されたメディアＭの上面に引っ掛かることなく、排出用メディアスタッカ部１０３に収納されたメディアＭ上に積層される。
その後、それぞれのメディア受け部１４２は、圧縮バネ１４７の付勢力によって戻され、初期の位置に配置される。
【００７７】
そして、このようなリンク機構１５２を備えたメディア受け渡し機構１５０を備えたスタッカトレイ１０１によれば、メディアＭの移動力からなる荷重をリンク機構１５２によってメディア受け部１４２に伝達させ、メディア受け部１４２に保持したメディアＭを排出用メディアスタッカ部１０３内へ円滑に導くことができる。
【００７８】
なお、このメディア受け渡し機構１５０では、メディアＭの移動力からなる荷重をリンク機構１５２によってメディア受け部１４２に伝達させてメディア受け部１４２のストッパ１４３を移動させたが、メディアＭの自重からなる荷重によってメディア受け部１４２のストッパ１４３を移動させるリンク機構を設けても良い。
【００７９】
図１５に示すものは、メディア受け部１４２を移動させる駆動源を有するメディア受け渡し機構である。
このメディア受け渡し機構１６０は、プランジャ（駆動源，保持解除機構）１６１を備えている。このプランジャ１６１は、プランジャ本体１６２と、ピストン１６３とを備えており、ピストン１６３は、メディア受け部１４２に連結されている。
また、このメディア受け渡し機構１６０には、排出用メディアスタッカ部１０３に滑り落とされるメディアＭの移動方向前方側にセンサ１６５が設けられている。
【００８０】
そして、このメディア受け渡し機構１６０では、ガイド通路１３０を滑り落ちてきたメディアＭは、メディア受け部１４２の保持部１４４の保持面１４５上に載置されることにより、排出用メディアスタッカ部１０３の上方にてメディア受け部１４２に受け止められ、排出用メディアスタッカ部１０３内に収納されているメディアＭと略平行に保持され、さらに、センサ１６５によって検知される。
すると、プランジャ１６１のプランジャ本体１６２に電力が供給され、ピストン１６３が引き込まれる。
【００８１】
これにより、メディア受け部１４２が圧縮バネ１４７の付勢力に抗して排出用メディアスタッカ部１０３の外側へ向かって移動され、ストッパ１４３の保持面１４５も排出用メディアスタッカ部１０３に対して径方向外方へ移動する。
よって、メディア受け部１４２によるメディアＭの保持が解除され、メディアＭが排出用メディアスタッカ部１０３に収納されているメディアＭ上に落下し、排出用メディアスタッカ部１０３に収納されたメディアＭの上面に引っ掛かることなく、排出用メディアスタッカ部１０３に収納されたメディアＭ上に積層される。
その後、プランジャ本体１６２への電力の供給が遮断されると、それぞれのメディア受け部１４２は、圧縮バネ１４７の付勢力によって戻され、初期の位置に配置される。
【００８２】
図１６に示すものは、メディア受け部１４２のストッパ１４３の一端が鉛直方向の支持軸１７１を中心として回動可能に支持されたメディア受け渡し機構１７０であり、それぞれのメディア受け部１４２のストッパ１４３の排出用メディアスタッカ部１０３と反対側に、圧縮バネ１４７及びプランジャ１６１が設けられている。
【００８３】
このメディア受け渡し機構１７０では、ガイド通路１３０を滑り落ちてきたメディアＭは、メディア受け部１４２の保持部１４４の保持面１４５上に載置されることにより、排出用メディアスタッカ部１０３の上方にてメディア受け部１４２に受け止められ、排出用メディアスタッカ部１０３内に収納されているメディアＭと略平行に保持され、さらに、センサ１６５によって検知される。
すると、プランジャ１６１のプランジャ本体１６２に電力が供給され、ピストン１６３が引き込まれる。
【００８４】
これにより、メディア受け部１４２が圧縮バネ１４７の付勢力に抗して支持軸１７１を中心として排出用メディアスタッカ部１０３から離れる方向に回動し、ストッパ１４３の保持面１４５が排出用メディアスタッカ部１０３に対して径方向外方へ移動する。
よって、メディア受け部１４２による保持が解除され、メディアＭが排出用メディアスタッカ部１０３に収納されているメディアＭ上に落下し、排出用メディアスタッカ部１０３に収納されたメディアＭの上面に引っ掛かることなく、排出用メディアスタッカ部１０３に収納されたメディアＭ上に積層される。
その後、プランジャ本体１６２への電力の供給が遮断されると、それぞれのメディア受け部１４２は、圧縮バネ１４７の付勢力によって戻され、初期の位置に配置される。
【００８５】
このように、プランジャ１６１からなる駆動源を備えたメディア受け渡し機構１６０，１７０を有するスタッカトレイ１０１によれば、プランジャ１６１によってメディア受け部１４２を移動させることにより、メディア受け部１４２に保持したメディアＭを排出用メディアスタッカ部１０３内へ円滑かつ確実に導くことができる。
また、メディア受け部１４２に保持されたメディアＭを検知するセンサ１６５を備えているので、メディア受け部１４２に保持されたメディアＭを確実に検知してメディア受け部１４２を移動させ、メディア受け部１４２に保持したメディアＭを排出用メディアスタッカ部１０３内へ確実に導くことができる。
【００８６】
なお、駆動源であるプランジャ１６１を備えたメディア受け渡し機構１６０，１７０において、センサ１６５を設けることなく、例えば、搬送アーム３６からメディアＭをガイド通路１３０へ送り込んだ後における所定時間経過後にプランジャ１６１を駆動させても良い。
このように、メディアＭの送り込み後の所定時間後にメディア受け部１４２を移動させることにより、センサ１６５を設けることなくメディア受け部１４２に保持したメディアＭを排出用メディアスタッカ部１０３内へ確実に導くことができる。
【００８７】
なお、上記実施形態では、データ記録面を下方に向けて収納させる場合を例にとって説明したが、レーベル面を下方に向けて収納させる場合にも適用可能であるのは勿論である。この場合でも、収納するメディアＭの周縁を排出用メディアスタッカ部１０３内のメディアＭに干渉させることなく、積層させて収納することができるので、データ記録領域Ｘへ影響を与えることなくメディアＭを排出用メディアスタッカ部１０３内へ積層させて収納することができる。
【図面の簡単な説明】
【００８８】
【図１】パブリッシャ（情報処理装置）の外観斜視図である。
【図２】パブリッシャのケースを外した状態の前方側の斜視図である。
【図３】パブリッシャのケースを外した状態の後方側の斜視図である。
【図４】パブリッシャに設置された記録装置部分の斜視図である。
【図５】パブリッシャの内部構造を示す平面図である。
【図６】スタッカトレイを示す斜視図である。
【図７】スタッカトレイを示す斜視図である。
【図８】スタッカトレイを示す概略側断面図である。
【図９】メディアを説明するメディアのデータ記録面側の平面図である。
【図１０】メディアを説明するメディアのレーベル面側の平面図である。
【図１１】スタッカトレイを示す概略横断面図である。
【図１２】メディア排出口における断面図である。
【図１３】メディア排出口におけるメディアの排出状態を示す斜視図である。
【図１４】変形例におけるディスク収納機構を示す概略平面図である。
【図１５】変形例におけるディスク収納機構を示す概略平面図である。
【図１６】変形例におけるディスク収納機構を示す概略平面図である。
【符号の説明】
【００８９】
１…パブリッシャ（情報処理装置）、１１…レーベルプリンタ（処理部）、４１…ドライブ（処理部）、１０１…スタッカトレイ（ディスク収納機構）、１０３…排出用メディアスタッカ部（スタッカ部）、１４０，１５０，１６０，１７０…メディア受け渡し機構（ディスク受け渡し機構）、１４１…支持軸（保持解除機構）、１４２…メディア受け部（ディスク受け部）、１４３…ストッパ（保持解除機構）、１４５…保持面、１５２…リンク機構（保持解除機構）、１６１…プランジャ（駆動源，保持解除機構）、１６５…センサ、Ａ…インク受容領域（処理領域）、Ｍ，ＭＡ，ＭＢ，ＭＣ，ＭＤ…メディア（ディスク）、Ｘ…データ記録領域（処理領域）。
【図１】
2010055724.tif 000003
【図２】
2010055724.tif 000004
【図３】
2010055724.tif 000005
【図４】
2010055724.tif 000006
【図５】
2010055724.tif 000007
【図６】
2010055724.tif 000008
【図７】
2010055724.tif 000009
【図８】
2010055724.tif 000010
【図９】
2010055724.tif 000011
【図１０】
2010055724.tif 000012
【図１１】
2010055724.tif 000013
【図１２】
2010055724.tif 000014
【図１３】
2010055724.tif 000015
【図１４】
2010055724.tif 000016
【図１５】
2010055724.tif 000017
【図１６】
2010055724.tif 000018